(57)【要約】【課題】  流し台とコンロ台の幅や奥行きを狭めることなしに省スペース化が可能で、従来に比して自由な配置を可能にする厨房設備を提供することを。【解決手段】  コンロ台及び流し台を含んでなる厨房設備であって、該流し台は、下方に該コンロ台を収容できる空間を画すよう一端付近において支柱によって支持されており、該コンロ台は、該流し台の下方の空間に収容された第１の位置と、該流し台に対して伸展した第２の位置とをとることができるよう、一端付近において該流し台の下方で該支柱の周りに垂直方向に且つ回動可能に支持されていることを特徴とする、厨房設備。【選択図】  図９
2006197989.tif 000002
【特許請求の範囲】
【請求項１】
コンロ台及び流し台を含んでなる厨房設備であって、該流し台は、下方に該コンロ台を収容できる空間を画すよう一端付近において支柱によって支持されており、該コンロ台は、該流し台の下方の空間に収容された第１の位置と、該流し台に対して伸展した第２の位置とをとることができるよう、一端付近において該流し台の下方で該支柱の周りに垂直方向に且つ回動可能に支持されていることを特徴とする、厨房設備。
【請求項２】
該流し台が、これを他端付近において垂直方向に支えるための脚を更に備えるものである、請求項１の厨房設備。
【請求項３】
該コンロ台が、これを他端付近において垂直方向に支えるための脚を更に備えるものである、請求項１又は２の厨房設備。
【請求項４】
該脚がキャスターを備えるものである、請求項３の厨房設備。
【請求項５】
該支柱が筒状である、請求項１ないし４の何れかの厨房設備。
【請求項６】
該筒状の支柱の内部空間に該流し台への配管が通されるものである、請求項５の厨房設備。
【請求項７】
該支柱が、コンロ台より下方部分において周囲をスリーブで囲われており、該スリーブと該支柱との間に該コンロ台への配管及び／又は電源コードが通され、該配管及び／又は電源コードは、該スリーブと該支柱との間において該コンロ台の内部に入るものである、請求項１ないし６の何れかの厨房設備。
【請求項８】
該コンロ台が、これを貫通する支柱に軸受を介して結合しており、該支柱により回動可能に高さ方向に支持されているものである、請求項１ないし７の何れかのコンロつき流し台。
【請求項９】
該流し台上において外支柱の上方に排気筒を更に備えるものである、請求項１ないし８の何れかの厨房設備。
【発明の詳細な説明】
【技術分野】
【０００１】
本発明は、厨房設備に関し、より詳しくは、省スペース化と、部屋内におけるレイアウトの自由度を高めた厨房設備に関する。
【背景技術】
【０００２】
従来、住宅の台所における厨房設備は、その配置により、１列型、２列型、Ｌ型、Ｕ型、アイランド型等に分類されている。１列型は、壁面に沿って流し台とコンロ台を一直線に並べた最も基本的な配置をいう。２列型は、壁面に沿って流し台とコンロ台を２列に分けた配置であり、振り返ってする作業が増えるため能率が落ちやすいが、横幅があまり取れない場合に適している。Ｌ型は、壁面に沿って流し台とコンロ台とをＬ字形に並べた配置であり、作業動作が短くて済む反面、Ｌ字のコーナー部分に物が収納しにくいという難点がある。Ｕ型は、壁面に沿ってコの字形の各辺に流し台、コンロ台及び調理台を配置したものである。アイランド型は、流し台又とコンロ台の両方又は一方を壁面から離し、部屋の中に島のように配置したものである。厨房設備の配置には、このように様々なタイプがあるが、何れも部屋のスペースの点と、厨房設備の使い勝手の点とから、部屋の状況に応じて採用されているものである。
【０００３】
一方、キャビネットの下部に流し台とコンロ台とを収納できる厨房設備が提案されている（特許文献１参照）。この厨房設備は、壁に沿ったキャビネットを中心として、流し台及びコンロ台を同一の高さでコ字型（Ｕ型）に配置するものであって、来客時等に流し台及びコンロ台の汚れを隠すために、流し台及びコンロ台をそれぞれの回転軸周りに回転させてキャビネットの下方に収納するようにしたものである。
【特許文献１】特開平４−６１８０８号公報
【発明の開示】
【発明が解決しようとする課題】
【０００４】
これら従来の厨房設備においては、何れも流し台とコンロ台とが、それらを使用しないときでも部屋の平面図上絶えずそれぞれ独立して所定のスペースを占めている。すなわち、流し台とコンロ台は、常時別個の一定位置に固定的に配置されているか、さもなければ、特許文献１に開示されているもののように、流し台及びコンロ台の収納により平面図上での相互の位置関係は変化しても、両者は依然としてそれぞれの床面積を占めている。また、この特許文献１に開示された厨房設備は、収納時にも、流し台とコンロ台とが横一列の並んでいるため、使用しないときでも部屋内で絶えず広い幅を占めることとなる。
【０００５】
近年、調理量が少なくてすむ一人暮らし世帯の増加や、ワンルームマンション等のような非常に限られた居住空間の有効利用、レトルト食品などの加工食品の多用により自宅での調理が簡略化されるようになってきたこと等が相俟って、居宅において従来のような嵩高い厨房設備を必要としないか、或いはよりコンパクトな厨房設備が好ましいケースが増加しつつある。また、ライフスタイルの多様化に伴い、居宅における厨房設備にも、従来とは異なったレイアウトに対する潜在的需要がある。しかしながら、省スペース化のために、流し台やコンロ台を余り小さなものにしてしまうと、使用時には狭く不便になってしまうという問題があり、一方スペースをとるものでは、自由なレイアウトが困難となる。
【０００６】
このような背景において、本発明は、部屋の望みの場所に配置することができ、且つ、流し台とコンロ台の幅や奥行きを狭めることなしに省スペース化が可能となる厨房設備、従ってまた、それにより従来に比して自由な配置を可能にする厨房設備を提供することを目的とする。
【課題を解決するための手段】
【０００７】
本発明者は、厨房設備において流し台を支柱によって一端で床上に支持し、コンロ台を、流し台より下方に設けて当該支柱の周りに回動可能に支持することにより上記目的を達成できることを見出し、更に検討を加えて本発明を完成させた。すなわち、本発明は以下を提供するものである。
【０００８】
１．コンロ台及び流し台を含んでなる厨房設備であって、該流し台は、下方に該コンロ台を収容できる空間を画すよう一端付近において支柱によって支持されており、該コンロ台は、該流し台の下方の空間に収容された第１の位置と、該流し台に対して伸展した第２の位置とをとることができるよう、一端付近において該流し台の下方で該支柱の周りに垂直方向に且つ回動可能に支持されていることを特徴とする、厨房設備。
２．該流し台が、これを他端付近において垂直方向に支えるための脚を更に備えるものである、上記１の厨房設備。
３．該コンロ台が、これを他端付近において垂直方向に支えるための脚を更に備えるものである、上記１又は２の厨房設備。
４．該脚がキャスターを備えるものである、上記３の厨房設備。
５．該支柱が筒状である、上記１ないし４の何れかの厨房設備。
６．該筒状の支柱の内部空間に該流し台への配管が通されるものである、上記５の厨房設備。
７．該支柱が、コンロ台より下方部分において周囲をスリーブで囲われており、該スリーブと該支柱との間に該コンロ台への配管及び／又は電源コードが通され、該配管及び／又は電源コードは、該スリーブと該支柱との間において該コンロ台の内部に入るものである、上記１ないし６の何れかの厨房設備。
８．該コンロ台が、これを貫通する支柱に軸受を介して結合しており、該支柱により回動可能に高さ方向に支持されているものである、上記１ないし７の何れかのコンロつき流し台。
９．該流し台上において外支柱の上方に排気筒を更に備えるものである、上記１ないし８の何れかの厨房設備。
【発明の効果】
【０００９】
本発明によれば、コンロ台の使用時には、コンロ台を流し台の下から回動させて引き出し、流し台に対し例えば直線状（１８０°）に伸展させ、又は直角（９０°）や斜め（１２０°等）の角度まで引き出すことにより、コンロ台上面を露出させて使用することができ、コンロ台を使用しないときには、これを元通り回動させて流し台の下に収納することができる。このため、コンロ台の収納時には、部屋の平面図において流し台のみの占有面積で済み、限られた居住空間の有効利用が可能となるから、流し台及びコンロ台の幅及び奥行きを狭めなくても省スペース化が図られる。また、このように省スペース化できるため部屋の中央等に配置しても邪魔になり難いと共に、部屋の中で上記支柱は任意の場所に設置できるから、使用者の好みやライフスタイルに合わせた居住空間設計が容易となる。
【発明を実施するための最良の形態】
【００１０】
本発明において、流し台は、その一端付近において、支柱に固定され、支柱によって支持される。ここに、流し台について「一端付近」とは、流し台の中央付近は、水を受ける部分であるシンクを避けた、一方の端に近い部分をいい、そのような部分であれば、それ以上には特に限定されない。流し台は、金属（例えば、ステンレス鋼）その他適宜の材料を用いて構成することができる。また、流し台は、十分な強度が得られる限り、中空の構造物でよく、例えばステンレス鋼板より、シンク部分をなす凹形に成形した、中空の箱状構造物としてもよい。
【００１１】
本発明において支柱は、その下端において床面に（更には必要に応じ、床下の基礎部分に）固定されるためのものである。支柱に流し台の一端付近が固定されるが、その固定方法は適宜であってよく、支柱は流し台を貫通してもしなくてもよい。例えば、流し台の一端付近に支柱を貫通させることのできる穴を設けておき、これに支柱を貫通させ所定の高さにおいて熔接、ボルトその他適宜の手段で流し台と支柱とを結合し固定することができる。また、流し台の一端付近においてその下面から上面付近まで至る非貫通穴を設けておき、これに所定長さの支柱を下から嵌め込んだ上で両者の接合面を熔接、ボルトその他適宜の手段で固定してもよい。
【００１２】
本発明において、コンロ台は、電気コンロ、インダクションヒータ又はガスコンロ等の調理機器を設置した台である。コンロ台は、流し台の下に収納される際に、設置されたそれらの調理機器が流し台と干渉するおそれのない高さで、一端付近において支柱に取り付けられる。そのような高さのうち、流し台と調理機器との間隙ができるだけ狭くなるような高さが、省スペースの観点からより好ましい。コンロ台について「一端付近」とは、コンロ台の中央付近や調理機器が設置を避けた、一方の端に近い部分をいい、そのような部分であれば、それ以上は特に限定されない。コンロ台は、金属（例えば、ステンレス鋼）その他適宜の材料を用いて構成することができる。また、コンロ台は、十分な強度が得られる限り、中空の構造物でよく、例えばステンレス鋼板から形成した箱状の構造物の上側に電気コンロその他の調理機器をはめ込んだものとすることができる。
【００１３】
コンロ台は、支柱に対して水平面内に回動可能に取り付けられる。このための具体的な取り付け手段は任意であり、貫通穴の下縁及び上縁に作用する軸方向荷重及び半径方向荷重の双方に耐えて滑らかな回動を可能にする手段である限り、特に限定はない。例えば、当業者に周知の軸受（滑り軸受又は転がり軸受）を利用して取り付けることができる。すなわち例えば、コンロ台の一端付近に設けた貫通穴の下縁及び下縁に添って、それぞれラジアル軸受（例えば円錐コロ軸受等）用いて、支柱と結合すればよい。また、支柱に対して軸受によって、所定高さで水平面内に回動可能に結合された支持枠を用いてもよい。すなわち、例えばコンロ台の他端までを片持ち梁形式で支えるに足りる強度を有する、平面図で概略コの字形、Ｕ字型、又はＶ字型であり、且つそれらの中間部に、支柱と結合する軸受を有するものを、支柱に回動可能に結合させ、これにコンロ台を構成する中空の箱体を被せてその辺を内部から、片持ち梁方式で支えるようにしてもよい。
【００１４】
また、流し台は、支柱に支持されているのとは反対側においては、片持ち梁のように宙に浮かせておいてもよい。この場合、例えば、平面図でコの字形その他の支持枠を、コンロ台について上記した仕方で（但し、軸受を備える代わりに熔接、ボルト等で支柱に固定して）支持体として用いてもよい。但し、特に高い強度を求める場合には、流し台は、他端において壁面の何処かに固定してもよく、また、他端付近から下方に延びて床面に達する脚を備えたものとしてもよい。そのような脚を用いる場合、脚は、他端付近から延びる一本の棒状の脚であっても、又は他端付近から伸びる一対の棒状の脚であっても、また、流し台の辺に沿って下方へ延びる一枚の板状の脚であってもよく、他の適宜の形態としてもよい。脚の下端は、適宜な手段により床面に固定しておくことが、安定性を高めるためには好ましい。
【００１５】
コンロ台も、支柱に支持されているのとは反対側においては、前記のように片持ち梁方式で宙に浮かせておくことができる。但し、支柱に回動可能に固定された一端からコンロ台の他端までの長さがかなりある場合等で、より高い強度を求める場合には、コンロ台は、他端付近から下方に延びて床面に対してコンロ台を支持する脚を備えたものとすればよい。コンロ台にそのような脚を用いる場合、脚は、コンロ台の他端付近から延びる一本の棒状の脚であっても、又は他端付近から延びる一対の棒状の脚であっても、また、コンロ台の辺に沿って下方に延びる一枚の厚板状の脚であってもよく、他の適宜の形態であってもよい。脚の下端は、単に床面に直接載置するようにしておいてもよいが、コンロ台の回動方向に沿って転がることのできるキャスターを取り付け、これを介して床面に載置するようにしておくのが好ましい。
【００１６】
上記キャスターは、周知汎用の種々のものから適宜選択して採用することができる。所望の位置まで回動して引き出したコンロ台がその位置で安定するように、キャスターとしては、より好ましくは周知のストッパーつきのものが選択される。また、脚の下端に、下方に突出させ得るストッパーボルトを設けておき、これを、コンロ台の引き出し角度にあわせて床面の所定位置に設けた穴に係合させるようにしてもよい。また、これらに代えて又はこれらと併せて、コンロ台と支柱との間、又はコンロ台と流し台との間で、流し台に対するコンロ台の引き出し角度を９０°、１２０°、１５０°、１８０°等の１通り又は複数通りの所定角度にて手で解除可能にかみ合って固定できる、ストッパー手段を設けておいてもよい。そのようなストッパー手段の一例としては、支柱の側面に法線方向で当接するようにバネによって付勢されたストッパーボルトをコンロ台の例えば下面に沿って設け、これに対応する高さにおいて所定の角度で支柱に、ストッパーボルトの先端が嵌る係合穴をあけておき、ストッパーボルトの後端に操作用つまみを設けておけばよい。そのようにすれば、操作用つまみを引いてストッパーボルトを支柱側面の係合穴から開放し、コンロ台を所定の角度まで回動させた後に、操作用つまみを放して、バネによる付勢力でストッパーボルトを支柱側面の新たな係合穴に嵌めることによって、コンロ台を所定の角度位置で固定することができる。
【００１７】
本発明において、支柱は、筒状とすることができる。筒状とすることによって、その内部空間を、流し台への配管（水道水用、排水用）を通すのに利用することができる。この場合、通された配管は、コンロ台の回動を妨げることのない適宜の位置において、支柱から出して流し台の必要な位置（例えば、カラン、排水口）まで導けばよい。
【００１８】
支柱は、コンロ台より下方部分において、周囲をスリーブで囲われており、コンロ台に設置される調理機器への電力またはガスの供給のためのガス管又は電源コードが、支柱より外側でスリーブとの間隙を通ってコンロ台に入るものであるのが好ましい。このようにすることにより、ガス管や電源コードに妨げられることなくコンロ台の回動が可能であり、且つガス管又は電源コードが外部から遮蔽されるため、不用意に物に引っ掛けるおそれがなくなる。スリーブは、全体として筒状であるのが好ましいが、ガス管又は電源コードが外部から実用上十分に遮蔽される限り、必ずしも支柱の全周を囲むものである必要はない。また、設置作業や点検の便のためには、スリーブは、蝶番等を用いて一部を開くことができるようにしておいてもよい。
【００１９】
本発明において、流し台上には、支柱の上方において、吸気口を備えた排気筒を設けることができる。排気筒に外部へ開いたダクトを接続することにより、必要に応じいつでもコンロ台の直ぐ近くで排気ができるため、部屋内のどこに本発明の厨房設備を設置しても換気が極めて容易となる。
【実施例】
【００２０】
以下、典型的な実施例を参照して本発明を更に具体的に説明するが、本発明がこれら実施例に限定されることは意図しない。
【００２１】
〔実施例１〕
図１は、本発明の厨房設備の一例の、コンロ台を流し台の下から伸展させた状態における、すなわち典型的な使用状態における斜視図である。図において１は、厨房設備であり、２はそのうち流し台、３はコンロ台である。４は、流し台２及びコンロ台３を支持している支柱（図では見えない）を覆う薄肉のスリーブである。流し台２には、水を流し或いは溜めるためのシンク５が形成されている。コンロ台及び流し台のそれぞれの本体は、軽量化のため、成形したステンレス鋼板より構成された中空の構造物である。６、６’は、それぞれ冷水用及び温水用のカランである。この実施例においては、流し台２には、その一端から、下方に伸びる厚板状の外形をした脚７が伸びており、脚７はその下端を床面に載せることにより、流し台２の一端を支持することができる。８は調理機器、例えば誘電加熱式の調理機器である。
【００２２】
図２は、実施例１の厨房設備の、コンロ台を流し台の下から伸展させた状態における立面図である。図において、破線は、内部構造の一部を示す。図において、スリーブ４の内側には、金属性の支柱９（本実施例では、円筒状）が設けられている。スリーブ４は、支柱９との間に所定の間隙を保つよう、支柱２に数箇所でボルト等（図示せず）を介して固定しておくことができる。支柱９は、コンロ台３を貫通して上方へ延び、流し台２の一端付近においてこれに嵌って固定されている。固定は、支柱９と流し台２とを、流し台２の本体の上面及び下面において熔接することよりなされている。支柱９の内側には、カラン６、６’に向かう冷水管１０及び温水管が、それぞれ通っており、支柱９に設けられた穴を通して支柱９の内部から出てそれぞれのカラン６、６’に接続している。シンク５には排水口１１が設けられ、排水口１１から、排水管１２が、支柱９に設けられた穴を通して支柱９の内部へと、次いで下方へと延びている。
【００２３】
本実施例では、支柱９の長さと脚７の長さは、厨房設備を床面に置いたとき流し台２の上面が水平になるよう調整されているが、支柱９を床下の基礎構造に固定する場合等、設置場所及び設置方法に合わせて、それぞれの長さを適宜に決定してよい。こうして本実施例では、流し台２は、支柱９及び脚７によって支持されているが、脚７を設ける代わりにこれを無くし、流し台２の端を壁面に固定し、壁面と支柱９とで流し台２を支持するようにしてもよい。更には、流し台９の本体自体の変形に対する十分な強度及び支柱９による支持部分に十分な強度を持たせておくならば、流し台２において脚７を無くし、流し台２を片持ち梁の方式で支柱９のみによって支持するようにしてもよい。
【００２４】
コンロ台３は、支柱９により、回動可能に支持されているため、使用者が水平面内において手で回動させて、好みの角度に持って行くことができる。回動を可能にするために、コンロ台３と支柱９とは、コンロ台の上面及び下面において、上下２個の転がり軸受（図示せず）によって結合されている。下方の転がり軸受は円錐コロ軸受であり、上方の転がり軸受は、ラジアル軸受であるが、他の組み合わせを用いることもできる。コンロ台３の一部をなす調理機器８には、これに電気（又はガス）を供給するための電源コード（又はガス管）１３が接続されており、これは、調理機器８から出てコンロ台３の内部を通り、支柱９とスリーブ４との間においてコンロ台３の下面に設けられた穴をから出て、支柱９とスリーブ４の間隙に入り、これを下降している。支柱９とスリーブ４との間において電源コード（又はガス管）９は、長さに十分な余裕を持たせてある。
【００２５】
図３は、本実施例の厨房設備１において、コンロ台３を図１の伸展位置から時計方向に９０°回動させた状態（すなわち流し台の下から９０°引き出した状態）の斜視図であり、この状態においても、コンロ台３及び流し台の双方をそれぞれの目的で使用することができる。図４は、更に９０°回動させた収納状態の斜視図であり、この状態では、流し台２のみが使用できる代わりに、コンロ台３は、部屋の平面図上のスペースを全くとることなく流し台２の下方に位置している。
【００２６】
図５は、本実施例の厨房設備１において、流し台２の下方にコンロ台３を収納した状態の立面図であり、破線は、内部構造の一部を示す。図において、電源コード（又はガス管）１３は、長さに余裕を持たせてあり、コンロ台３を伸展位置から図５の位置へと回動させた後も、下方から支柱９とスリーブ４の間隙を螺旋状に無理なく延びて、コンロ台３の内部へ入っている。
【００２７】
〔実施例２〕
図６及び７は、本発明の実施例２の厨房設備３１の、それぞれ、コンロ台を流し台の下から伸展させた状態及び収納した状態における斜視図である。本実施例においては、コンロ台３は、その一端に、これを床面に対して支える外形が厚板状の脚３２を備えている。床面に支えられた状態でのコンロ台３の回動を容易にするよう、脚３２の下端には、キャスター３３、３３’が、それぞれの回転軸を支柱９に向けた状態で取り付けられている。キャスター３３、３３’としては汎用のものを適宜用いることができ、それらのうち好ましくはトッパーつきのものが用いられる。流し台２には、支柱９（及びスリーブ４）と同軸に排気筒３５が備えられている。排気筒３５の内部には排気ファン（図８）が、側面には吸気グリル３７が、それぞれ設けられている。３８は、排気ファン用のスイッチである。図８は、本実施例の、コンロ台を流し台の下から伸展させた状態における立面図であり、図に示されているように、排気筒３５は、流し台２を貫通して延びる支柱９を囲んでこれに固定されている。排気筒３５内には、グリルの上方において排気ファン３９が備えられており、電源コード４０が、コンロ台３の上面より下方において支柱９内を上行し、流し台２の上方でスイッチ３８を介して排気ファンファン３９に接続されている。電源コード４０は、コンロ台３の上面より下方において支柱９内を通るため、コンロ台３の回動を妨げることがない。本実施例は、このような構造であるため、部屋のどこに設置しても、排気筒３５の上端に排気ダクトを繋げて設けて室外に導くことで、調理に伴う煙や水蒸気などを効率よく排気することができる。また、コンロ台３が脚３２を有するため構造上強度が特に高められているが、脚３２にキャスター３３を備えるため、回動させる際にも支障がない。なお、本実施例では、排気筒３５は、排気筒としてのみ機能しているが、排気筒３５には、テレビ画像等を表示するフラット型又はシート状ディスプレーをこれに取り付けてもよい。
【００２８】
〔実施例３〕
図９は、支柱９の周りに回動するコンロ台２の支持構造の一例を示すための、流し台２の一部を切り欠きコンロ台３の他の部分及びスリーブを破線で表した、斜視図である。図において、冷水管１０、温水管及び排水管１２は省略されている。図において、４０は、軸受けであり、支柱９に対して回動自在な状態で高さ方向に支持されている。４１は、軸受け４０から延びたＵ字型の金属製の支持枠であり、コンロ台３をその上に載せて上下方向の加重を支持する働きをする。この構造により、コンロ台３は、回動可能に且つ荷重に対して強固に支持される。
【産業上の利用可能性】
【００２９】
本発明は、部屋の望みの場所に配置することができ、且つ、省スペース化が可能となる厨房設備、従ってまた、従来に比して自由なレイアウトを可能にする厨房設備を可能にする。
【図面の簡単な説明】
【００３０】
【図１】コンロ台を流し台の下から伸展させた状態における実施例１の斜視図
【図２】コンロ台を流し台の下から伸展させた状態における実施例１の立面図
【図３】コンロ台を流し台の下から９０°引き出した状態における実施例１の斜視図
【図４】コンロ台を収納した状態における実施例１の斜視図
【図５】コンロ台を収納した状態における実施例１の立面図
【図６】コンロ台を流し台の下から伸展させた状態における実施例２の斜視図
【図７】コンロ台を収納した状態における実施例２の斜視図
【図８】コンロ台を流し台の下から伸展させた状態における実施例２の立面図
【図９】コンロ台の支持枠の一例を示す、流し台の一部を切り欠いた斜視図
【符号の説明】
【００３１】
１＝厨房設備、２＝流し台、３＝コンロ台、４＝スリーブ、５＝シンク、６、６’＝カラン、７＝脚、８＝調理機器、９＝支柱、１０＝冷水管、１１＝排水口、１２＝配水管、１３＝電源コード（又はガス管）、３１＝厨房設備、３２＝脚、３３、３３’＝キャスター、３５＝排気筒、３７＝吸気グリル、３９＝排気ファン、４０＝軸受け、４１＝支持枠
【図１】
2006197989.tif 000003
【図２】
2006197989.tif 000004
【図３】
2006197989.tif 000005
【図４】
2006197989.tif 000006
【図５】
2006197989.tif 000007
【図６】
2006197989.tif 000008
【図７】
2006197989.tif 000009
【図８】
2006197989.tif 000010
【図９】
2006197989.tif 000011